(57)【特許請求の範囲】
【請求項１】
横断歩道に近接して道路の両側に道路標識がそれぞれ立設されると共に、横断歩道に沿って路面に複数の道路鋲が埋設され、歩行者の横断時に前記道路標識及び道路鋲が共に所定時間発光されるようになされて、夜間に横断歩道を横断しようとする歩行者に対し安全な横断を促すと共に、横断歩道に向かって走行してくる車両に注意を喚起させるための交通安全システムであって、前記道路標識に押しボタンスイッチが設けられ、この押しボタンスイッチを閉じることにより道路標識に発光開始信号が入力されるようになされると共に、道路標識に送信回路と受信回路、道路鋲に受信回路がそれぞれ設けられ、発光開始信号が一の道路標識に入力されると、この道路標識の発光が開始されると共に、この発光開始信号が他の道路標識及び道路鋲に無線又は有線にて伝達されることにより、他の道路標識及び道路鋲の発光が前記道路標識と共に開始されるようになされ、又道路標識に、夜間に横断歩道を横断しようとする歩行者を検知する検知センサーが設けられると共に照明灯が設けられ、前記検知センサーが歩行者を検知すると、その検知信号に基づいて照明灯が歩行者周辺及び押しボタンスイッチを照らすようになされたことを特徴とする交通安全システム。
【請求項２】
道路標識に音声発生装置が設けられ、発光開始信号が道路標識に入力されたとき、道路標識より音声が発生されるようになされたことを特徴とする請求項１に記載の交通安全システム。
【請求項３】
道路標識及び道路鋲は、電源回路として太陽光を受けて起電力を発生する太陽電池と、その太陽電池の起電力を蓄電する蓄電装置とが設けられていることを特徴とする請求項１又は２に記載の交通安全システム。
【発明の詳細な説明】
【０００１】
【発明の属する技術分野】
本発明は、夜間に横断歩道を横断しようとする歩行者や自転車等に対し安全な横断を促すと共に、横断歩道に向かって走行してくる車両に注意を喚起させることのできる交通安全システムに関するものである。
【０００２】
【従来の技術】
従来、特に信号機設備のない横断歩道においては、一般に照明装置が内蔵された、いわゆる内照式の横断歩道道路標識が設置されている。そしてこの照明装置を夜間中点灯させることにより、夜間横断歩道に向かって走行してくる車両に対して横断歩道の存在を認識させている。
【０００３】
【発明が解決しようとする課題】
しかしながら上記の如き内照式の横断歩道道路標識は、横断歩道の存在を認識させるものの、横断する歩行者等の存在するにかかわらず夜間中点灯していることから、その横断歩道道路標識を見慣れたドライバーにとっては、注意を喚起させるには乏しいものであり、また周囲には横断歩道を照射する照明設備が設置されてはいるが、横断歩道はドライバーに対して薄暗く、横断している歩行者等の存在を認識させるには必ずしも充分な照度ではない。特に対向車が存在する場合には、いわゆる蒸発現象によって、一瞬歩行者等が見えなくなることもある。照明設備の照度を上げればよいが、歩行者等の存在していない時も照度を上げたままでは、経済上の損失がある。従って内照式の横断歩道道路標識が設置されているものの、横断歩道での事故が絶えないのが現状である。
【０００４】
そこで本発明は上記の如き問題を解決し、横断歩道に向かって走行してくるドライバーに対して、横断歩道を横断している歩行者や自転車等の存在を認識させると共に注意を喚起させることのできる交通安全システムを提供せんとするものである。
【０００５】
【課題を解決するための手段】
上記目的を達成するために、本発明は次のような構成としている。
すなわちこの発明に係る交通安全システムは、横断歩道に近接して道路の両側に道路標識がそれぞれ立設されると共に、横断歩道に沿って路面に複数の道路鋲が埋設され、歩行者の横断時に前記道路標識及び道路鋲が共に所定時間発光されるようになされて、夜間に横断歩道を横断しようとする歩行者に対し安全な横断を促すと共に、横断歩道に向かって走行してくる車両に注意を喚起させるための交通安全システムであって、前記道路標識に押しボタンスイッチが設けられ、この押しボタンスイッチを閉じることにより道路標識に発光開始信号が入力されるようになされると共に、道路標識に送信回路と受信回路、道路鋲に受信回路がそれぞれ設けられ、発光開始信号が一の道路標識に入力されると、この道路標識の発光が開始されると共に、この発光開始信号が他の道路標識及び道路鋲に無線又は有線にて伝達されることにより、他の道路標識及び道路鋲の発光が前記道路標識と共に開始されるようになされ、又道路標識に、夜間に横断歩道を横断しようとする歩行者を検知する検知センサーが設けられると共に照明灯が設けられ、前記検知センサーが歩行者を検知すると、その検知信号に基づいて照明灯が歩行者周辺及び押しボタンスイッチを照らすようになされたことを特徴とするものである。
【０００６】
本発明によれば、夜間に横断歩道を横断しようとする歩行者の横断時に、横断歩道に近接して道路の両側に立設された道路標識と、横断歩道に沿って路面に設置された複数の道路鋲が、共に所定時間発光するので、横断歩道に向かって走行してくるドライバーにとって、歩行者の存在を認識しやすく、また注意が喚起され、効果的に横断歩道での事故防止を図ることができる。しかも道路標識と道路鋲とが共に発光するので、強く注意が喚起され、又歩行者が存在しない時は発光しないので、経済上の損失も回避される。
【０００７】
前記道路標識及び道路鋲の発光は、発光体として一般的には発光ダイオードを内蔵し、その発光ダイオードを発光させることにより行われ、その発光は通常は点滅発光となされるが、継続的に発光させてもよい。又発光時間は、特に限定されるものではないが、歩行者が安全に横断歩道を渡りきるのに充分な時間とされ、通常は３０秒前後とされ、その後消灯される。なお道路標識は、発光によって、「横断中注意」等の表示が現出されるようになされているのが好ましい。又道路鋲は、線状に発光するものであってもよいし、点状に発光するものであってもよい。又夜間に作動させるために昼夜を検出する公知の昼夜検出センサー等が適宜用いられる。なお歩行者とは横断歩道を横断する人を指し、自転車等に乗って横断する人をも含むものである。
【０００８】
なお本発明においては、道路標識及び道路鋲を共に発光させるために、各道路標識間及び道路標識と道路鋲との間を発光開始信号が有線で伝達されるようになされていてもよいが、発光開始信号が無線により伝達されるようにすれば、各道路標識間及び道路標識と道路鋲との間に面倒な配線工事が不要となり好ましい。例えば、歩行者の横断時に道路標識に発光開始信号が入力されるようにすると共に、道路標識に送信回路と受信回路、道路鋲に受信回路をそれぞれ設け、発光開始信号が一の道路標識に入力されると、この道路標識の発光が開始されると共に、この発光開始信号が他の道路標識及び道路鋲に無線にて伝達され、他の道路標識及び道路鋲の発光が前記道路標識と共に開始されるようになされているのが好ましい。
【０００９】
本発明においては、歩行者の横断時に発光開始信号を一の道路標識に入力するには、道路標識に、押しボタンスイッチを設け、この押しボタンスイッチを閉じることにより道路標識に発光開始信号が入力されるようになされている。
【００１０】
【００１１】
なお、道路標識に、夜間に横断歩道を横断しようとする歩行者を検知する検知センサーを設けると共に照明灯を設け、前記検知センサーが歩行者を検知すると、照明灯が歩行者周辺を照らすようにすれば、歩行者にとって歩行し易くなり、又歩行者の姿が浮かび上がったようにドライバーから視認されるようになり、ドライバーに一層の注意を喚起させることができ、さらに押しボタンスイッチにより道路標識に発光開始信号を入力させる場合に、照明灯により周辺が明るく照らされるので、押しボタンスイッチの位置が発見しやすく、押しやすくなる。
前記検知センサーとしては、その種類は特に限定されるものではないが、歩行者から発する熱線を検出することにより歩行者の存在を検知できる焦電型赤外線センサーが好適であるが、超音波を発射してその反射波を検出する超音波センサーや出射した光を遮ることによって検出する発光素子と受光素子とからなる光センサー等でもよい。
【００１２】
【００１３】
前記に加えて、道路標識に音声発生装置を設け、発光開始信号が道路標識に入力されたとき、「左右を確認して渡りましょう」等の音声が道路標識より発生されるようになされていてもよい。
【００１４】
又前記道路標識及び道路鋲の発光及びその他の動作に必要な電源として、商用電源が用いられてもよいが、太陽電池を用いるのが簡便であり、太陽電池を用いれば商用電源のない所でも設置できる。すなわち道路標識及び道路鋲に、その電源回路として太陽光を受けて起電力を発生する太陽電池と、その太陽電池の起電力を蓄電する蓄電装置とが設けられているのが好ましい。
【００１５】
【発明の実施の形態】
次に、本発明の実施の形態について図面を参照し、具体的に説明する。
すなわち図１は本発明の実施の一形態を示す概略図であり、図２は図１における道路標識の動作を示すブロック図であり、図３は図１における道路鋲の動作を示すブロック図である。
【００１６】
図面において、１は横断歩道であり、通常はその路面にゼブラ模様が描かれている。２は、その横断歩道１に近接して道路の両側にそれぞれ立設された道路標識であり、支柱２１１に表示板２１２が車両に相対向するように取付けられ、その表示板２１２に発光ダイオード等の発光体２１３が取付けられている。又３は、道路鋲であり、前記横断歩道１に沿って、例えば横断歩道１の区画線に沿って又は区画線として路面に複数埋設され、この道路鋲３にも発光ダイオード等の発光体３１が車両に相対向するように取付けられている。
【００１７】
さらに前記道路標識２は、発光開始信号を入力する押しボタンスイッチ２２、発光開始信号を電波形態の信号にして送受する送信回路２３１及び受信回路２３２、夜間に横断歩道１を横断しようとする歩行者を検知する検知センサー２４、歩行者周辺を照らす照明灯２５、音声を発生させる音声発生装置２６、電源回路２７としての太陽電池２７１及びその太陽電池２７１の起電力を蓄電する蓄電装置２７２が設けられ、又その蓄電装置２７２の電力を供給して、表示板２１２に取付けられた発光体２１３を所定時間点滅発光させ、又照明灯２５を点灯させ、さらに音声発生装置２６より音声を発生させる制御回路２８等が設けられ、その制御回路２８、前記送信回路２３１及び受信回路２３２、音声発生装置２６等は制御ボックス２８１内に収容され、制御ボックス２８１上部に電波形態の信号を送受するためのアンテナ２９が設けられている。
【００１８】
又道路鋲３には、道路標識２から電波形態の信号にして無線にて送信された発光開始信号を受信する受信回路３２、電源回路３３としての太陽電池３３１及びその太陽電池３３１の起電力を蓄電する蓄電装置３３２、蓄電装置３３２の電力を発光体３１に供給し、発光体３１を所定時間点滅発光させる制御回路３４、電波形態の信号を受信するためのアンテナ３５等が設けられている。前記アンテナ３５は路面より突出しないものを用いる。
【００１９】
かような構成により、本交通安全システムを図２〜３にて説明すると、道路標識２においては、まず昼間の太陽電池２７１の起電力が蓄電装置２７２に蓄電される。そして夜間にいずれかの道路標識２の検知センサー２４が所定エリア内に歩行者を検知したときは、制御回路２８により蓄電装置２７２の電力が照明灯２５に供給され、照明灯２５が点灯して歩行者周辺を照らす。次に歩行者が一の道路標識２の押しボタンスイッチ２２を押すと、その道路標識２の制御回路２８に発光開始信号が入力され、制御回路２８により蓄電装置２７２の電力がその道路標識２の発光体２１３及び音声発生装置２６に供給され、発光体２１３を所定時間点滅発光させると共に、又音声発生装置２６より音声を発生させる。又それと同時に、発光開始信号を電波形態の信号にして送信回路２３１より他の道路標識２及び道路鋲３に無線で送信する。この電波形態の発光開始信号を受信回路２３２で受信した他の道路標識２は、発光体２１３を所定時間点滅発光させ、又道路鋲３も発光体３１を共に発光させる。
【００２０】
すなわち道路鋲３は、図３の如く、昼間の太陽電池３３１の起電力が蓄電装置３３２に蓄電され、受信回路３２により前記電波形態の発光開始信号が受信され、その発光開始信号が制御回路３４に入力されると、制御回路３４により蓄電装置３３２の電力が道路鋲３の発光体３１に供給され、発光体３１を所定時間点滅発光させる。
【００２１】
かようにして、押しボタンスイッチ２２を押して一の道路標識２に発光開始信号を入力することにより、その道路標識２の点滅発光が開始されると共に、その発光開始信号は、他の道路標識２及び道路鋲３に無線にて伝達され、他の道路標識２及び道路鋲３の発光が前記道路標識２と共に開始される。
【００２２】
【００２３】
【発明の効果】
本発明によれば、夜間に横断歩道を横断しようとする歩行者の横断時に、横断歩道に近接して道路の両側に立設された道路標識と、横断歩道の区画線に沿って又は区画線として路面に設置された複数の道路鋲が、共に所定時間発光するので、横断歩道に向かって走行してくるドライバーにとって、歩行者の存在を認識しやすく、また注意が喚起され、効果的に横断歩道での事故防止を図ることができる。しかも道路標識と道路鋲とが共に発光するので、強く注意が喚起され、又歩行者が存在しない時は発光しないので、経済上の損失も回避される。
【図面の簡単な説明】
【図１】  本発明の実施の一形態を示す概略図である。
【図２】  図１の道路標識の動作を示すブロック図である。
【図３】  図１の道路鋲の動作を示すブロック図である。
【符号の説明】
１      横断歩道
２      道路標識
２１１  支柱
２１２  表示板
２１３  発光体
２２    押しボタンスイッチ
２３１  送信回路
２３２  受信回路
２４    検知センサー
２５    照明灯
２６    音声発生装置
２７    電源回路
２７１  太陽電池
２７２  蓄電装置
２８    制御回路
２８１  制御ボックス
２９    アンテナ
３      道路鋲
３１    発光体
３２    受信回路
３３    電源回路
３３１  太陽電池
３３２  蓄電装置
３４    制御回路
３５    アンテナ
【図１】
0003832955.tif 000002
【図２】
0003832955.tif 000003
【図３】
0003832955.tif 000004